(57)【要約】      （修正有）【課題】安全性に優れていると共に、切断された粘着テープのカッター刃からの引き剥がしを確実且つ良好に行えるようにする。【解決手段】粘着テープロール３から引き出された粘着テープ３ａを切断するカッター刃４とを備えたテープカッターに於いて、ケース本体１の対向する両側壁１ａに、ホルダー２を回転自在に且つカッター刃４から離間する方向へ移動自在に支持するガイド溝１ｄ若しくはガイド穴をケース本体１の他端部へ向って下り傾斜状に形成し、当該ガイド溝１ｄ若しくはガイド穴にホルダー２の中心部に設けた支持軸２ａの両端部を挿入してホルダー２及び粘着テープロール３が自重によりカッター刃４から離間する方向へ移動するようにし、粘着テープ３ａが切断されてホルダー２及び粘着テープロール３が自重により粘着テープ３ａの先端をカッター刃４から引き剥がしてホルダー２側へ離間させるテープ保持機構５を設ける。【選択図】図１
2014028666.tif 000002
【特許請求の範囲】
【請求項１】
少なくとも上方が開放された収容空間（Ｓ）を備えたケース本体（１）と、ケース本体（１）の収容空間（Ｓ）に収容され、ケース本体（１）に回転自在に支持されたホルダー（２）と、ホルダー（２）の外周面に嵌められ、粘着テープ（３ａ）をロール状に巻き回して成る粘着テープロール（３）と、ケース本体（１）の上面側一端部に設けられ、粘着テープロール（３）から引き出された粘着テープ（３ａ）を切断するカッター刃（４）とを備えたテープカッターに於いて、前記ケース本体（１）の対向する両側壁（１ａ）に、ホルダー（２）を回転自在に且つカッター刃（４）から離間する方向へ移動自在に支持するガイド溝（１ｄ）若しくはガイド穴をケース本体（１）の他端部へ向って下り傾斜状に形成し、当該ガイド溝（１ｄ）若しくはガイド穴にホルダー（２）の中心部に設けた支持軸（２ａ）の両端部を挿入してホルダー（２）及び粘着テープロール（３）が自重によりカッター刃（４）から離間する方向へ移動するようにし、また、ホルダー（２）とカッター刃（４）との間の収容空間（Ｓ）に、粘着テープロール（３）から引き出されてカッター刃（４）により切断された後の粘着テープ（３ａ）の先端部を粘着保持すると共に、粘着テープ（３ａ）が切断されてホルダー（２）及び粘着テープロール（３）が自重によりカッター刃（４）から離間する方向へ移動するときに粘着テープ（３ａ）の先端をカッター刃（４）から引き剥がしてホルダー（２）側へ離間させるテープ保持機構（５）を設けたことを特徴とするテープカッター。
【請求項２】
テープ保持機構（５）は、ホルダー（２）とカッター刃（４）との間の収容空間（Ｓ）の底面若しくはケース本体（１）の両側壁（１ａ）の内面に設けた軸受部（５′）と、軸受部（５′）にカッター刃（４）側及びホルダー（２）側へ揺動自在に支持され、粘着テープ（３ａ）を切断する際に粘着テープ（３ａ）を保持すると共に、カッター刃（４）により切断された後の粘着テープ（３ａ）の先端部を粘着保持して粘着テープ（３ａ）の先端をカッター刃（４）から引き剥がす起立姿勢のテープ保持体（５″）とから成り、前記テープ保持体（５″）は、粘着テープ（３ａ）を粘着保持していないときに自重によりカッター刃（４）側へ揺動して粘着テープ（３ａ）を切断する際に粘着テープ（３ａ）を保持すると共に粘着テープ（３ａ）がカッター刃（４）で切断された際に粘着テープ（３ａ）の先端部を粘着保持する粘着位置と、粘着テープ（３ａ）が切断されてホルダー（２）及び粘着テープロール（３）が自重によりカッター刃（４）から離間する方向へ移動するときに粘着テープ（３ａ）に引っ張られてホルダー（２）側へ揺動して粘着テープ（３ａ）の先端部をカッター刃（４）から離間した状態で保持する保持位置とに亘って揺動自在に構成されていることを特徴とする請求項１に記載のテープカッター。
【請求項３】
軸受部（５′）は、ケース本体（１）と一体的に若しくはケース本体（１）と別体的に形成されており、当該軸受部（５′）の一部分は、テープ保持体（５″）がホルダー（２）側へ揺動したときに保持位置で止まるようにストッパーとしての機能を有することを特徴とする請求項２に記載のテープカッター。
【請求項４】
テープ保持体（５″）は、縦向き姿勢の立上り部（５ａ）と、立上り部（５ａ）の下端に連設され、軸受部（５′）の内方へ回転自在に挿入される軸部（５ｂ）と、立上り部（５ａ）の上端に連設され、粘着テープ（３ａ）を切断する際に粘着テープ（３ａ）を保持すると共に粘着テープ（３ａ）がカッター刃（４）で切断された際に粘着テープ（３ａ）の先端部を粘着保持する立上り部（５ａ）の厚みよりも広幅の保持部（５ｃ）とを備えており、当該テープ保持体（５″）は、粘着位置へ揺動したときには立上り部（５ａ）の一部が収納空間（Ｓ）のカッター刃（４）寄りの側面に接触して粘着位置に起立姿勢で保持され、また、保持位置へ揺動したときには保持部（５ｃ）が粘着位置にあるときよりも高い位置になると共に、軸受部（５′）のストッパーにより保持位置で止まるように構成されていることを特徴とする請求項２又は請求項３に記載のテープカッター。
【請求項５】
テープ保持体（５″）の少なくとも保持部（５ｃ）の色を粘着保持された粘着テープ（３ａ）を見易い濃色としたことを特徴とする請求項４に記載のテープカッター。
【発明の詳細な説明】
【技術分野】
【０００１】
本発明は、机上等に置かれ、粘着テープをロール状に巻き回して成る粘着テープロールを回転自在に保持すると共に、粘着テープロールから所定量引き出された粘着テープを切断するカッター刃を備えたテープカッターの改良に関するものである。
【背景技術】
【０００２】
従来から一般的に使用されているテープカッターは、図示していないが、机上等に安定した姿勢で置かれ、上方が開放された収容空間を形成したケース本体と、ケース本体の収容空間に収容され、ケース本体に回転自在に支持された円形のホルダーと、ホルダーの外周面に嵌められ、粘着テープをロール状に巻き回して成る粘着テープロールと、ケース本体の一端部に設けられ、粘着テープロールから引き出された粘着テープを切断するカッター刃と、カッター刃の粘着テープロール側に設けられ、粘着テープの切断時に粘着テープを保持固定して粘着テープの切断を安定して行えるようにすると共に、切断された後の粘着テープの先端部を粘着保持する保持部とを備えている。
【０００３】
而して、前記テープカッターにより粘着テープを切断する場合、粘着テープの粘着テープロールと保持部との間に位置する部分を指で摘まみ、この状態で粘着テープを引っ張って使用する長さ分だけ引き出した後、粘着テープをカッター刃に押し付けて切断する。
このとき、切断された粘着テープの先端部は、カッター刃の近傍に位置する保持部に粘着保持され、粘着テープロール側への巻き取りが防止される。
【０００４】
しかしながら、従来のテープカッターは、切断された粘着テープの先端部がカッター刃の近傍に位置する保持部に粘着保持されているため、粘着テープを新たに引き出して切断する際には、粘着テープの先端から数ｃｍほどのところを指で摘まんで引き出してカッター刃により切断しなければならないので、次の（ａ）〜（ｅ）に示すような問題点があった。
【０００５】
（ａ）即ち、引き出した粘着テープを切断した際、粘着テープの真ん中あたりに指の指紋    や汚れが付くことになり、見た目が悪くなると共に、粘着力も低下することがあっ      た。
（ｂ）また、粘着テープを切断した後には、粘着テープの真ん中あたりを摘まんでいるた    め、粘着テープを持ち替えないと、正確に貼れないことになる。このとき、粘着テー    プに更に指紋が付くことがあった。
（ｃ）更に、粘着テープの持ち替えがスムースにいかない場合や切断した粘着テープが長    い場合には、粘着テープがよじれたり、皺になることがあった。
（ｄ）そのうえ、粘着テープを引き出す際には、カッター刃の奥から粘着テープを持ち上    げて引き出さなければならず、粘着テープの引き出し操作を行い難かった。
（ｅ）加えて、粘着テープの先端から数ｃｍほどのところを指で摘まむようにしているた    め、粘着テープを短く切断しようとしても、カッター刃と指の幅以下のサイズは切断    できないことになる。尚、粘着テープを保持部及びカッター刃から持ち上げ、粘着      テープの先端を指で摘まみなおせば、粘着テープを短く切断することができるが、こ    の場合には、粘着テープを何度も持ちなおしているため、粘着テープに指紋や汚れが    多く付いて粘着力が低下してしまうことになる。
【０００６】
このように、従来のテープカッターは、粘着テープを引き出して切断する際に粘着テープの先端から数ｃｍほどのところを指で摘まむようにしているため、様々な問題が発生していた。
【０００７】
一方、近年、粘着テープの先端部を指で摘まんで引き出せるようにしたテープカッターが開発され、特開２００５−２１３０４０号公報（特許文献１参照）として公開されている。
【０００８】
即ち、前記テープカッターは、図９に示す如く、ケース本体１０と、ケース本体１０に回転自在に支持されたホルダー１１と、ホルダー１１の外周面に嵌められ、粘着テープ１２ａをロール状に巻き回して成る粘着テープロール１２と、ケース本体１０の一端部に設けられ、粘着テープロール１２から引き出された粘着テープ１２ａを切断するテープ切断刃１３と、粘着テープロール１２とテープ切断刃１３との間に設けられ、板バネや弾性ゴム等の弾性板１４ａ及び弾性板１４ａの先端に形成した押圧部１４ａから成る剥離手段１４とを備えている。
【０００９】
而して、前記テープカッターによれば、粘着テープロール１２から粘着テープ１２ａを引き出し、図９の一点鎖線に示すように粘着テープ１２ａをテープ切断刃１３に押し付けて切断すると、剥離手段１４を形成する弾性板１４ａが、粘着テープロール１２から引き出されて先端がテープ切断刃１３に粘着している粘着テープ１２ａを下側から上方へ向って押圧し、粘着テープ１２ａの先端をテープ切断刃１３から引き剥がすと共に、粘着テープ１２ａの先端部が弾性板１４ａの押圧部１４ｂに粘着されたまま保持されるようになっている。
【００１０】
従って、前記テープカッターに於いては、テープ切断刃１３により切断された粘着テープ１２ａの先端部が図９に示すように宙に浮いている状態となっているため、粘着テープ１２ａの先端を指で摘まんで粘着テープ１２ａを引き出すことができるので、上述した（ａ）〜（ｅ）に示すような問題を解決することができる。
【００１１】
しかし、前記テープカッターに於いても、未だ解決すべき問題点が残されている。
即ち、前記テープカッターは、切断した粘着テープ１２ａの先端部をただ単に弾性板１４ａにより上方へ跳ね上げるようにしているため、宙に浮いている状態の粘着テープ１２ａの先端とテープ切断刃１３との間隔が比較的狭く、使用者が粘着テープ１２ａの先端部を指で摘まむ際に指がテープ切断刃１３に当たって怪我をするおそれがあり、安全性に劣ると云う問題があった。また、粘着テープ１２ａが自重で垂れ下がると、更にテープ切断刃１３に近づき、怪我をし易いと云う問題があった。
【００１２】
更に、前記カッターテープは、粘着テープ１２ａをテープ切断刃１３で切断する際に弾性板１４ａを粘着テープ１２ａで押圧して確実に弾性変形させないと、切断された粘着テープ１２ａの先端をテープ切断刃１３から引き剥がすことができないが、粘着テープ１２ａを切断する際に弾性板１４ａがあまり弾性変形をせずに粘着テープ１２ａがテープ切断刃１３により切断されてしまうことがあり、この場合にはテープ切断刃１３からの粘着テープ１２ａの引き剥がしを確実に行えないと云う問題があった。
特に、弾性板１４ａが金属製の板バネにより形成されている場合には、粘着テープ１２ａを弾性板１４ａ側へかなり強く押圧操作しなければならず、前記問題がより一層顕著に顕れることになる。
【００１３】
更に、前記テープカッターは、弾性板１４ａが弾性ゴムや合成樹脂により形成されている場合には、長期間の使用により弾性ゴムや合成樹脂が劣化し、弾性板１４ａの弾性力が失われて切断された粘着テープ１２ａの先端をテープ切断刃１３から引き剥がすことができないと云う問題が発生することになる。
【００１４】
そのうえ、前記テープカッターは、粘着テープ１２ａを切断する際に弾性板１４ａの押圧部１４ｂが粘着テープ１２ａに押圧されて上下方向へ揺動するため、粘着テープ１２ａを確実に保持できず、粘着テープ１２ａの切断が安定しないと云う問題があった。
【先行技術文献】
【特許文献】
【００１５】
【特許文献１】特開２００５−２１３０４０号公報
【発明の概要】
【発明が解決しようとする課題】
【００１６】
本発明は、このような問題点に鑑みて為されたものであり、その目的は、上述した（ａ）〜（ｅ）に示すような問題を解決することができることは勿論のこと、安全性に優れていると共に、切断された粘着テープのカッター刃からの引き剥がしを確実且つ良好に行えるようにしたテープカッターを提供することにある。
【課題を解決するための手段】
【００１７】
上記目的を達成するために、本発明の請求項１の発明は、少なくとも上方が開放された収容空間を備えたケース本体と、ケース本体の収容空間に収容され、ケース本体に回転自在に支持されたホルダーと、ホルダーの外周面に嵌められ、粘着テープをロール状に巻き回して成る粘着テープロールと、ケース本体の上面側一端部に設けられ、粘着テープロールから引き出された粘着テープを切断するカッター刃とを備えたテープカッターに於いて、前記ケース本体の対向する両側壁に、ホルダーを回転自在に且つカッター刃から離間する方向へ移動自在に支持するガイド溝若しくはガイド穴をケース本体の他端部へ向って下り傾斜状に形成し、当該ガイド溝若しくはガイド穴にホルダーの中心部に設けた支持軸の両端部を挿入してホルダー及び粘着テープロールが自重によりカッター刃から離間する方向へ移動するようにし、また、ホルダーとカッター刃との間の収容空間に、粘着テープロールから引き出されてカッター刃により切断された後の粘着テープの先端部を粘着保持すると共に、粘着テープが切断されてホルダー及び粘着テープロールが自重によりカッター刃から離間する方向へ移動するときに粘着テープの先端をカッター刃から引き剥がしてホルダー側へ離間させるテープ保持機構を設けたことに特徴がある。
【００１８】
本発明の請求項２の発明は、請求項１の発明に於いて、テープ保持機構は、ホルダーとカッター刃との間の収容空間の底面若しくはケース本体の両側壁の内面に設けた軸受部と、軸受部にカッター刃側及びホルダー側へ揺動自在に支持され、粘着テープを切断する際に粘着テープを保持すると共に、カッター刃により切断された後の粘着テープの先端部を粘着保持して粘着テープの先端をカッター刃から引き剥がす起立姿勢のテープ保持体とから成り、前記テープ保持体は、粘着テープを粘着保持していないときに自重によりカッター刃側へ揺動して粘着テープを切断する際に粘着テープを保持すると共に粘着テープがカッター刃で切断された際に粘着テープの先端部を粘着保持する粘着位置と、粘着テープが切断されてホルダー及び粘着テープロールが自重によりカッター刃から離間する方向へ移動するときに粘着テープに引っ張られてホルダー側へ揺動して粘着テープの先端部をカッター刃から離間した状態で保持する保持位置とに亘って揺動自在に構成されていることに特徴がある。
【００１９】
本発明の請求項３の発明は、請求項２の発明に於いて、軸受部は、ケース本体と一体的に若しくはケース本体と別体に形成されており、当該軸受部の一部分は、テープ保持体がホルダー側へ揺動したときに保持位置で止まるようにストッパーとしての機能を有することに特徴がある。
【００２０】
本発明の請求項４の発明は、請求項２又は請求項３の発明に於いて、テープ保持体は、縦向き姿勢の立上り部と、立上り部の下端に連設され、軸受部の内方へ回転自在に挿入される軸部と、立上り部の上端に連設され、粘着テープを切断する際に粘着テープを保持すると共に粘着テープがカッター刃で切断された際に粘着テープの先端部を粘着保持する立上り部の厚みよりも広幅の保持部とを備えており、当該テープ保持体は、粘着位置へ揺動したときには立上り部の一部が収納空間のカッター刃寄りの側面に接触して粘着位置に起立姿勢で保持され、また、保持位置へ揺動したときには保持部が粘着位置にあるときよりも高い位置になると共に、軸受部のストッパーにより保持位置で止まるように構成されていることに特徴がある。
【００２１】
本発明の請求項５の発明は、請求項４の発明に於いて、テープ保持体の少なくとも保持部の色を粘着保持された粘着テープを見易い濃色としたことに特徴がある。
【発明の効果】
【００２２】
本発明の請求項１のテープカッターは、ケース本体の対向する両側壁に、ホルダーを回転自在に且つカッター刃から離間する方向へ移動自在に支持するガイド溝若しくはガイド穴をケース本体の他端部へ向って下り傾斜状に形成し、当該ガイド溝若しくはガイド穴にホルダーの中心部に設けた支持軸の両端部を挿入してホルダー及び粘着テープロールが自重によりカッター刃から離間する方向へ移動するようにし、また、ホルダーとカッター刃との間の収容空間に、粘着テープロールから引き出されてカッター刃により切断された後の粘着テープの先端部を粘着保持すると共に、粘着テープが切断されてホルダー及び粘着テープロールが自重によりカッター刃から離間する方向へ移動するときに粘着テープの先端をカッター刃から引き剥がしてホルダー側へ離間させるテープ保持機構を設ける構成としているため、次のような優れた効果を奏することができる。
【００２３】
即ち、本発明の請求項１のテープカッターは、カッター刃で粘着テープを切断したときに粘着テープの先端部がテープ保持機構により粘着保持されていると共に、粘着テープの先端がカッター刃から離間する位置で浮いた状態に保持されているため、粘着テープの先端を指で摘まんで粘着テープを引き出すことができ、冒頭で述べた（ａ）〜（ｅ）に示すような問題を解決することができる。
また、本発明の請求項１のテープカッターは、粘着テープの先端がテープ保持機構によりカッター刃から離間する位置で浮いた状態に保持されているため、粘着テープの先端とカッター刃との間隔が広くなり、使用者が粘着テープの先端部を指で摘まむ際に指がカッター刃に当たって怪我をすると云うことが殆んどなくなり、極めて安全性に優れたものとなる。
更に、本発明の請求項１のテープカッターは、粘着テープをカッター刃で切断したときにホルダー及び粘着テープロールが自重によりカッター刃から離間する方向へ移動するため、粘着テープの先端がカッター刃から簡単に引き剥がされることになる。
【００２４】
本発明の請求項２のテープカッターは、テープ保持機構が軸受部及びテープ保持体から成り、前記テープ保持体が、粘着テープを粘着保持していないときに自重によりカッター刃側へ揺動して粘着テープの先端部を粘着保持する粘着位置となり、また、ホルダー及び粘着テープロールが自重によりカッター刃から離間する方向へ移動するときに粘着テープに引っ張られてホルダー側へ揺動して粘着テープの先端部をカッター刃から離間した状態で保持する保持位置となるため、構造が極めて簡単で故障することなくなるうえ、確実且つ良好に作動することになる。
【００２５】
本発明の請求項３のテープカッターは、軸受部の一部分がストッパーとしての機能を有し、テープ保持体がホルダー側へ揺動したときに保持位置で止まるようにしているため、テープ保持体を保持位置で確実に止めることができ、テープ保持体が必要以上に揺動するのを防止することができる。
また、本発明の請求項３のテープカッターは、軸受部をケース本体と一体的に形成した場合、軸受部とケース本体の組み立て作業を省略することができる。
【００２６】
本発明の請求項４のテープカッターは、テープ保持体が立上り部、軸部及び保持部から成り、粘着位置へ揺動したときに立上り部の一部が収納空間のカッター刃寄りの側面に接触するため、テープ保持体は粘着位置に起立姿勢で確実に保持されることになる。
また、本発明の請求項４のテープカッターは、テープ保持体の立上り部の上端に切断された後の粘着テープの先端部を粘着保持する立上り部の厚みよりも広幅の保持部を備えているため、粘着テープを確実且つ良好に粘着保持することができる。
【００２７】
本発明の請求項５のテープカッターは、テープ保持体の少なくとも保持部の色を粘着保持された粘着テープを見易い濃色としているため、テープ保持体に保持された粘着テープを確実且つ良好に視認することができ、取扱性に優れたものになる。
【図面の簡単な説明】
【００２８】
【図１】本発明の実施形態に係るテープカッターの側面図である。
【図２】同じくテープカッターの平面図である。
【図３】同じくテープカッターの縦断側面図である。
【図４】ケース本体の収納空間にホルダーを収納した状態の側面図である。
【図５】ホルダーの他の例を示す側面図である。
【図６】小巻のホルダーを使用したテープカッターの側面図である。
【図７】テープ保持機構の軸受部の他の例を示し、（Ａ）は軸受部にテープ保持体の軸部を挿入する状態の側面図、（Ｂ）は軸受部にテープ保持体の軸部を挿入した状態の斜視図である。
【図８】テープカッターの作動状態を示し、（Ａ）はスタンバイ状態を示すテープカッターの側面図、（Ｂ）は粘着テープを引き出した状態のテープカッターの側面図、（Ｃ）は引き出した粘着テープをカッター刃で切断する状態のテープカッターの側面図、（Ｄ）は切断された粘着テープの先端部がテープ保持体で保持された状態を示すテープカッターの側面図である。
【図９】従来のテープカッターの側面図である。
【発明を実施するための形態】
【００２９】
以下、本発明の実施形態を図面に基づいて詳細に説明する。
図１〜図３は本発明の実施形態にテープカッターの一例を示すものであり、当該テープカッターは、粘着テープ３ａをロール状に巻き回して成る粘着テープロール３を回転自在に保持すると共に、粘着テープロール３から所定量引き出された粘着テープ３ａを所定の長さに切断するものであり、机上等に置かれ、少なくとも上方が開放された収容空間Ｓを備えたケース本体１と、ケース本体１の収容空間Ｓに収容され、ケース本体１に移動自在に且つ回転自在に支持された円形のホルダー２と、ホルダー２の外周面に嵌められた粘着テープロール３と、ケース本体１に設けられ、粘着テープロール３から引き出された粘着テープ３ａを切断するカッター刃４と、ケース本体１の収容空間Ｓに配設され、カッター刃４により切断された後の粘着テープ３ａの先端部を粘着保持すると共に、粘着テープ３ａの先端をカッター刃４から引き剥してホルダー２側へ離間させるテープ保持機構５とを備えている。
【００３０】
具体的には、前記ケース本体１は、金属材又は合成樹脂材により上方（図１の上側）及び後方（図１の左側）が開放された四角形の箱状に形成されており、対向する左右の側壁１ａと、前壁１ｂと、底壁１ｃと、上方及び後方が開放された収容空間Ｓとを備えている。
また、ケース本体１の上面側一端部（前壁１ｂの上面端部）には、粘着テープロール３から引き出された粘着テープ３ａを切断するカッター刃４が上向きに設けられている。このカッター刃４の両側位置には、使用者が上向き姿勢のカッター刃４で怪我をしないようにカッター刃４よりも背が高い突部１ｆが突出形成されている。
更に、ケース本体１の他端部上部位置で且つ対向する左右の側壁１ａ内面には、ホルダー２を回転自在に且つカッター刃４から離間する方向へ移動自在に支持すると共に、ケース本体１の他端部（後端部）へ向って下り傾斜状になっているガイド溝１ｄと、ガイド溝１ｄに連通する上方が開放された縦向き姿勢の挿入溝１ｅと、同じく上方が開放されてガイド溝１ｄよりも深く形成された縦向き姿勢のホルダー収納溝１ｇとがそれぞれ形成されている。ホルダー収納溝１ｇは、テープカッター自体を梱包用の紙箱に収納する際にホルダー２をケース本体１の収容空間Ｓ内へ収納するのに使用するものであり、ホルダー収納溝１ｇの形成位置及び深さは、ホルダー２が収容空間Ｓ内へ完全に納まるように設定されている（図４参照）。
加えて、ケース本体１の両側壁１ａの一端部上部には、テープ保持機構５に粘着保持されている粘着テープ３ａを摘まみ易いように切欠部１ｈが形成されている。
そして、ケース本体１の幅、長さ及び重さは、ケース本体１自体が机上等で倒れたり、簡単に移動したりしないように安定した姿勢で置かれるようにそれぞれ設定されている。
【００３１】
尚、上記の実施形態に於いては、ケース本体１を上方及び後方が開放された四角形の箱状に形成したが、ケース本体１の形状及び構造は、上記の実施形態に限定されるものではなく、少なくとも上方が開放された収容空間Ｓを備えておれば、如何なる形状及び構造であっても良い。
また、上記の実施形態に於いては、ケース本体１の対向する左右の側壁１ａ内面にガイド溝１ｄ、挿入溝１ｅ及びホルダー収納溝１ｇを形成するようにしたが、他の実施形態に於いては、図示していないが、ガイド溝１ｄ、挿入溝１ｅ及びホルダー収納溝１ｇの替わりにケース本体１の対向する左右の側壁１ａに貫通状のガイド穴、挿入穴及びホルダー収納穴を形成するようにしても良い。
更に、図示していないが、ケース本体１が安定した姿勢で机上等に置かれるように、ケース本体１の下面に矩形状の基台を設けたり、或いは、ケース本体１に重り等を取り付けたり、ケース本体１の下面に滑り止めシートを取り付けるようにしても良い。
【００３２】
前記ホルダー２は、合成樹脂材により円形に形成されており、その中心部には、ケース本体１の挿入溝１ｅからガイド溝１ｄ内へ挿入されてガイド溝１ｄ内に回転自在に且つ移動自在に支持される支持軸２ａが一体的に突出形成されている。
また、ホルダー２は、その上端部以外がケース本体１の収容空間Ｓに収納された状態でガイド溝１ｄ内に回転自在に且つ移動自在に支持されており、ガイド溝１ｄがケース本体１の他端部（後端部）へ向って下り傾斜状に形成されていることとも相まって、自重によりガイド溝１ｄの高所側から低所側へ転がり、カッター刃４から離間する方向へ移動するようになっている。
【００３３】
尚、上記の実施形態に於いては、大巻（大きい径）の粘着テープロール３を保持できるホルダー２を使用するようにしたが、他の実施形態に於いては、図５に示す如く、大巻（大きい径）の粘着テープロール３と小巻（小さい径）の粘着テープロール３′の両方を保持できるホルダー２を使用するようにしても良い。
即ち、前記ホルダー２は、図５に示す如く、大径のホルダー部２′と、大径のホルダー部２′の中心部に着脱自在に挿着されて支持軸２ａを備えた小径のホルダー部２″とから成り、大巻の粘着テープロール３を使用する場合には、大径のホルダー部２′の外周面に大巻の粘着テープロール３を嵌め、また、小巻の粘着テープロール３′を使用する場合には、小径のホルダー部２″を大径のホルダー部２′から取り外し、小径のホルダー部２″の外周面に小巻の粘着テープロール３′を嵌め、小径のホルダー部２″の支持軸２ａをケース本体１のガイド溝１ｄ内に回転自在に且つ移動自在に挿入する（図６参照）。
【００３４】
前記粘着テープロール３は、ビニールシート等の基材の一面に粘着剤を塗布して成る粘着テープ３ａをリング状の紙管３ｂにその粘着面が内側を向きようにしてロール状に巻き回すことにより形成されており、ホルダー２の外周面に着脱自在に嵌め込まれ、ホルダー２と一緒に回転自在且つ移動自在となっている。
【００３５】
前記テープ保持機構５は、ホルダー２とカッター刃４との間の収容空間Ｓの底面に設けた軸受部５′と、軸受部５′にカッター刃４側及びホルダー２側へ揺動自在に支持され、粘着テープ３ａを切断する際に粘着テープ３ａを保持すると共に、カッター刃４により切断された後の粘着テープ３ａの先端部を粘着保持して粘着テープ３ａの先端をカッター刃４から引き剥がす起立姿勢のテープ保持体５″とから成る。
【００３６】
即ち、軸受部５′は、断面形状逆Ｕ字状に形成されており、ケース本体１の収容空間Ｓの底面（底壁１ｃの上面）に所定の間隔を空けて一対設けられている。この軸受部５′は、底壁１ｃに一体的に形成しても良く、或いは、底壁１ｃと別体に形成しても良い。
また、軸受部５′は、カッター刃４寄りの端部が収容空間Ｓの底面から離間しており、軸受部５′のカッター刃４寄りの端部は、テープ保持体５″がホルダー２側へ揺動したときに所定の位置（後述する保持位置）で止まるようにストッパーとしての機能を有している。
【００３７】
尚、上記の実施形態に於いては、軸受部５′を断面形状逆Ｕ字状に形成したが、軸受部５′の形状及び構造は、上記の実施形態のものに限定されるものではなく、テープ保持体５″を揺動自在に支持することができれば、如何なる形状及び構造であっても良い。
例えば、図７（Ａ）及び（Ｂ）に示すように、軸受部５′を断面形状逆Ω状に形成し、軸受部５′の内方へ後述するテープ保持体５″の軸部５ｃを上方から嵌め込むようにしても良い。この場合には、テープ保持体５″が保持位置で止まるように軸受部５′と別の位置にストッパー（図示省略）を設ける。このストッパーは、収容空間Ｓの底面に設けても良く、或いは、ケース本体１の側壁１ａの内面に設けても良い。
また、上記の実施形態に於いては、軸受部５′を収容空間Ｓの底面に設けるようにしたが、他の実施形態に於いては、図示していないが、軸受部５′をケース本体１の両側壁１ａの内面に設けるようにしても良い。
【００３８】
一方、テープ保持体５″は、合成樹脂材により粘着テープ３ａの幅よりも広幅の板状に形成されており、断面形状Ｌ字形に形成された縦向き姿勢の立上り部５ａと、立上り部５ａの下端に連設され、軸受部５′の内方へ回転自在に挿入される軸部５ｂと、立上り部５ａの上端に連設され、粘着テープ３ａを切断する際に粘着テープ３ａを保持すると共に粘着テープ３ａがカッター刃４で切断された際に粘着テープ３ａの先端部を粘着保持する立上り部５ａの厚みよりも広幅の保持部５ｃとを備えている。
このテープ保持体５″は、粘着テープ３ａを粘着保持していないときに自重によりカッター刃４側へ揺動して粘着テープ３ａを切断する際に粘着テープ３ａを保持すると共に粘着テープ３ａがカッター刃４で切断された際に粘着テープ３ａの先端部を粘着保持する粘着位置（図１及び図３の一点鎖線位置）と、粘着テープ３ａが切断されてホルダー２及び粘着テープロール３が自重によりカッター刃４から離間する方向へ移動するときに粘着テープ３ａに引っ張られてホルダー２側へ揺動して粘着テープ３ａの先端部をカッター刃４から離間した状態で保持する保持位置（図１及び図３の実線位置）とに亘って揺動自在に構成されており、粘着位置へ揺動したときには立上り部５ａの一部（垂直部）が収納空間Ｓのカッター刃４寄りの側面（前壁１ｂ内面）に接触して粘着位置に起立姿勢で保持され、また、保持位置へ揺動したときには保持部５ｃが粘着位置にあるときよりも高い位置になると共に、軸受部５′のストッパーにより保持位置で止まるようになっている。
更に、テープ保持体５″は、保持部５ｃが切断された粘着テープ３ａの先端部を粘着保持したときに粘着テープ３ａを見易いように全体が濃色（例えば、ブラックやグレー等）に着色されている。
そして、テープ保持体５″の揺動ストローク（保持部５ｃの移動距離）は、ホルダー２の移動ストローク（支持軸２ａの移動距離）よりも若干長くなるように設定されており、ホルダー２がガイド溝１ｄ内を高所側から低所側へ移動したときにテープ保持体５″がホルダー２側へ若干量だけ動けるように遊びを持たせている。これは、ホルダー２がガイド溝１ｄ内を高所側から低所側へ移動したときに保持位置へ揺動したテープ保持体５″の保持部５ｃから粘着テープ３ａが引き剥がされないようにするためのものである。
【００３９】
尚、上記の実施の形態に於いては、テープ保持体５″全体を濃色に着色するようにしたが、他の実施の形態に於いては、テープ保持体５″の保持部５ｃのみを濃色に着色するようにしても良い。
また、上記の実施形態に於いては、テープ保持体５″の形状を側面から視てＬ字形状としたが、テープ保持体５″の形状は、如何なる形状であっても良い。例えば、テープ保持体５″の形状を側面から視てくの字形状としたり、或いは、円弧形状としたりしても良い。
【００４０】
次に、上述したテープカッターを用いて粘着テープ３ａを切断する場合について説明する。
【００４１】
前記テープカッターは、スタンバイ状態のときには、ホルダー２及び粘着テープロール３が自重によりガイド溝１ｄの低所位置に保持されていると共に、粘着テープロール３から引き出された粘着テープ３ａの先端部が保持位置に揺動しているテープ保持体５″の保持部５ｃに粘着保持されている（図８（Ａ）参照）。
【００４２】
このとき、テープ保持機構５により粘着テープ３ａの先端がホルダー２側へ移動してカッター刃４から離間する位置で浮いた状態に保持されているため、粘着テープ３ａの先端とカッター刃４との間隔が広くなり、使用者が粘着テープ３ａの先端部を指で摘まむ際に指がカッター刃４に当たって怪我をすると云うことが殆んどなくなり、極めて安全性に優れている。
また、粘着テープ３ａの先端が宙に浮いている状態となっているため、粘着テープ３ａの先端を指で小さく摘まんで粘着テープ３ａを引き出すことができるので、粘着テープ３ａの真ん中あたりに指の指紋や汚れが付くことがなくなると共に、粘着テープ３ａを短く切断することができる。
更に、粘着テープ３ａを貼り付ける際に粘着テープ３ａを持ち替える必要もなくなり、粘着テープ３ａの持ち替えの際に生じる粘着テープ３ａのよじれや皺の発生もなくなる。
そのうえ、粘着テープ３ａを引き出す際には、粘着テープ３ａの先端を摘まんで引き出せるので、粘着テープ３ａの引き出し操作も行い易くなる。
加えて、テープ保持体５″が粘着テープ３ａを見易い濃色に形成されているため、テープ保持体５″に保持された粘着テープ３ａを確実且つ良好に視認することができる。
【００４３】
テープカッターがスタンバイ状態のときにテープ保持体５″に粘着保持されている粘着テープ３ａの先端を指で摘まんで粘着テープロール３から引き出すと、粘着テープ３ａの先端部がテープ保持体５″の保持部５ｃから引き剥がされ、保持位置にあるテープ保持体５″が自重により保持位置から粘着位置へ揺動する（図８（Ｂ）参照）。
また、ホルダー２及び粘着テープロール３が引き出される粘着テープ３ａに引っ張られてガイド溝１ｄ内を低所側から高所側へ移動し、ガイド溝１ｄの高所側で回転自在に保持される（図８（Ｂ）参照）。
尚、テープ保持体５″が粘着位置へ揺動したときには立上り部１ａの一部（垂直部）が収納空間Ｓのカッター刃４寄りの側面に接触するため、テープ保持体５″が粘着位置に起立姿勢で確実に保持されることになる。
【００４４】
粘着テープロール３から所定長さの粘着テープ３ａが引き出されたら、粘着テープ３ａをカッター刃４に押し付けて切断する。
このとき、粘着テープ３ａの先端部が粘着位置にあるテープ保持体５″の保持部５ｃに保持固定されてからカッター刃４で切断されるため、粘着テープ３ａの切断を安定して行える。
また、切断された粘着テープ３ａの先端部裏面が粘着位置にあるテープ保持体５″の保持部５ｃに粘着保持される（図８（Ｃ）参照）。
更に、テープ保持体５″の保持部５ｃは、立上り部５ａの厚みよりも広幅に形成されているため、粘着テープ３ａを確実且つ良好に粘着保持することができる。
【００４５】
そして、引き出した粘着テープ３ａがカッター刃４により切断されたら、ホルダー２及び粘着テープロール３が自重によりガイド溝１ｄ内を高所側から低所側へ移動し、カッター刃４から離間する方向へ移動する。
また、ホルダー２及び粘着テープロール３がカッター刃４から離間する方向へ移動するときに粘着テープ３ａに引っ張られて粘着テープ３ａの先端がカッター刃４から確実に引き剥がされると共に、粘着テープ３ａの先端部を粘着保持しているテープ保持体５″が粘着位置から保持位置へ揺動してスタンバイ状態に戻る（図８（Ｄ）参照）。
尚、テープ保持体５″は、保持位置に揺動したときに軸受部５′のカッター刃４寄りの端部がストッパーとしての機能を有しているため、保持位置で確実に止められ、ホルダー２側へ必要以上に揺動するのが防止される。
また、テープ保持体５″の揺動ストロークは、ホルダー２の移動ストロークよりも若干長くなるように設定され、ホルダー２がガイド溝１ｄ内を高所側から低所側へ移動したときにテープ保持体５″がホルダー２側へ若干量だけ動けるように遊びを持たせているため、ホルダー２がガイド溝１ｄ内を高所側から低所側へ移動したときにテープ保持体５″の保持部５ｃから粘着テープ３ａが引き剥がされるのを防止することができる。
【００４６】
このように、上述したテープカッターは、冒頭で述べた従来のテープカッターの問題点を全て解決することができる。
【符号の説明】
【００４７】
１はケース本体、１ａは側壁、１ｂは前壁、１ｃは底壁、１ｄはガイド溝、１ｅは挿入溝、１ｆは突部、１ｇはホルダー収納溝、１ｈは切欠部、２はホルダー、２′は大径のホルダー部、２″は小径のホルダー部、２ａは支持軸、３は大径の粘着テープロール、３′は小径の粘着テープロール、３ａは粘着テープ、３ｂは紙管、４はカッター刃、５はテープ保持機構、５′は軸受部、５″はテープ保持体、５ａは立上り部、５ｂは軸部、５ｃは保持部、Ｓは収容空間。
【図１】
2014028666.tif 000003
【図２】
2014028666.tif 000004
【図３】
2014028666.tif 000005
【図４】
2014028666.tif 000006
【図５】
2014028666.tif 000007
【図６】
2014028666.tif 000008
【図７】
2014028666.tif 000009
【図８】
2014028666.tif 000010
【図９】
2014028666.tif 000011